(57)【要約】【課題】ダウンリンクのみのセルの最適なエリア設計のための情報をより効率的に収集することを可能にすること。【解決手段】本発明の装置は、端末装置のアイドルモードでのＭＤＴ（Minimization  of  Drive  Tests）測定の対象セルを示す対象セル情報を取得する情報取得部と、上記対象セル情報を前記端末装置へ送信する通信処理部と、を備える。上記対象セルは、ダウンリンクのみのセルを含む。【選択図】図７
2017043296.tif 000002
【特許請求の範囲】
【請求項１】
端末装置のアイドルモードでのＭＤＴ（Minimization  of  Drive  Tests）測定の対象セルを示す対象セル情報を取得する情報取得部と、
前記対象セル情報を前記端末装置へ送信する通信処理部と、
を備え、
前記対象セルは、ダウンリンクのみのセルを含む、
装置。
【請求項２】
前記対象セル情報は、前記アイドルモードでのＭＤＴのためのコンフィギュレーションパラメータに含まれ、
前記通信処理部は、前記コンフィギュレーションパラメータを含むメッセージを前記端末装置へ送信する、
請求項１に記載の装置。
【請求項３】
前記メッセージは、Ｌｏｇｇｅｄ  Ｍｅａｓｕｒｅｍｅｎｔ  Ｃｏｎｆｉｇｕｒａｔｉｏｎメッセージである、請求項２に記載の装置。
【請求項４】
前記情報取得部は、前記ＭＤＴ測定の開始条件に関する開始条件情報を取得し、
前記通信処理部は、前記開始条件情報を前記端末装置へ送信する、
請求項１〜３のいずれか１項に記載の装置。
【請求項５】
前記開始条件は、セル再選択（cell  reselection）において特定のセルが選択されることを含み、
前記開始条件情報は、前記特定のセルを示すセル情報を含む、
請求項４に記載の装置。
【請求項６】
前記開始条件は、前記ダウンリンクのみのセルの測定値が閾値よりも良くなることを含み、
前記開始条件情報は、前記閾値を示す閾値情報を含む、
請求項４に記載の装置。
【請求項７】
前記情報取得部は、前記ＭＤＴ測定の終了条件に関する終了条件情報を取得し、
前記通信処理部は、前記終了条件情報を前記端末装置へ送信する、
請求項１〜６のいずれか１項に記載の装置。
【請求項８】
前記終了条件は、前記ダウンリンクのみのセルの測定値が閾値よりも悪くなることを含み、
前記終了条件情報は、前記閾値を示す閾値情報を含む、
請求項７に記載の装置。
【請求項９】
前記終了条件は、セル再選択において特定のセルが選択されることを含み、
前記終了条件情報は、前記特定のセルを示すセル情報を含む、
請求項７に記載の装置。
【請求項１０】
前記終了条件は、測定期間が満了することを含み、
前記終了条件情報は、前記測定期間を示す期間情報を含む、
請求項７〜９のいずれか１項に記載の装置。
【請求項１１】
前記装置は、基地局、当該基地局のための基地局装置、又は当該基地局装置のためのモジュールであり、
前記ダウンリンクのみのセルは、前記基地局のセルである、
請求項５又は８に記載の装置。
【請求項１２】
前記装置は、基地局、当該基地局のための基地局装置、又は当該基地局装置のためのモジュールであり、
前記ダウンリンクのみのセルは、前記基地局とは異なる他の基地局のセルである、
請求項６又は９に記載の装置。
【請求項１３】
端末装置のアイドルモードでのＭＤＴ測定の対象セルを示す対象セル情報であって、基地局により送信される当該対象セル情報を取得する情報取得部と、
前記対象セル情報に基づいて前記ＭＤＴ測定を行う測定部と、
を備え、
前記対象セルは、ダウンリンクのみのセルを含む、
装置。
【請求項１４】
前記情報取得部は、前記ＭＤＴ測定の開始条件に関する開始条件情報であって、前記基地局により送信される当該開始条件情報を取得し、
前記測定部は、前記開始条件情報に基づいて、前記ＭＤＴ測定を開始する、
請求項１３に記載の装置。
【請求項１５】
前記情報取得部は、前記ＭＤＴ測定の終了条件に関する終了条件情報であって、前記基地局により送信される当該終了条件情報を取得し、
前記測定部は、前記終了条件情報に基づいて、前記ＭＤＴ測定を終了する、
請求項１３又は１４に記載の装置。
【請求項１６】
端末装置のアイドルモードでのＭＤＴ測定の対象セルを示す対象セル情報を取得する情報取得部と、
前記対象セル情報を基地局へ送信する通信処理部と、
を備え、
前記対象セルは、ダウンリンクのみのセルを含む、
装置。
【請求項１７】
前記ＭＤＴ測定は、Ｌｏｇｇｅｄ  ＭＤＴ測定である、請求項１〜１６のいずれか１項に記載の装置。
【請求項１８】
前記対象セル情報は、前記ダウンリンクのみのセルのセルＩＤ、前記ダウンリンクのみのセルの周波数バンドを示すバンド情報、又は、前記ダウンリンクのみのセルの周波数を示す周波数情報を含む、請求項１〜１７のいずれか１項に記載の装置。
【請求項１９】
前記ダウンリンクのみのセルは、ダウンリンク専用帯域のセルである、請求項１〜１８のいずれか１項に記載の装置。
【請求項２０】
前記ダウンリンク専用帯域は、Ｂａｎｄ  ２９又はＢａｎｄ３２である、請求項１９に記載の装置。
【請求項２１】
端末装置のアイドルモードでのＭＤＴ測定の対象セルを示す対象セル情報を取得することと、
前記対象セル情報を前記端末装置へ送信することと、
を含み、
前記対象セルは、ダウンリンクのみのセルを含む、
方法。
【請求項２２】
端末装置のアイドルモードでのＭＤＴ測定の対象セルを示す対象セル情報であって、基地局により送信される当該対象セル情報を取得することと、
前記対象セル情報に基づいて前記ＭＤＴ測定を行うことと、
を含み、
前記対象セルは、ダウンリンクのみのセルを含む、
方法。
【請求項２３】
端末装置のアイドルモードでのＭＤＴ測定の対象セルを示す対象セル情報を取得することと、
前記対象セル情報を基地局へ送信することと、
を含み、
前記対象セルは、ダウンリンクのみのセルを含む、
方法。
【請求項２４】
端末装置のアイドルモードでのＭＤＴ測定の対象セルを示す対象セル情報を前記端末装置へ送信する基地局と、
前記対象セル情報に基づいて前記ＭＤＴ測定を行う前記端末装置と、
を含み、
前記対象セルは、ダウンリンクのみのセルを含む、
システム。
【請求項２５】
基地局において、端末装置のアイドルモードでのＭＤＴ測定の対象セルを示す対象セル情報を前記端末装置へ送信することと、
前記端末装置において、前記対象セル情報に基づいて前記ＭＤＴ測定を行うことと、
を含み、
前記対象セルは、ダウンリンクのみのセルを含む、
方法。
【請求項２６】
端末装置のアイドルモードでのＭＤＴ測定の対象セルを示す対象セル情報を取得することと、
前記対象セル情報を前記端末装置へ送信することと、
をプロセッサに実行させるためのプログラムであり、
前記対象セルは、ダウンリンクのみのセルを含む、
プログラム。
【請求項２７】
端末装置のアイドルモードでのＭＤＴ測定の対象セルを示す対象セル情報を取得することと、
前記対象セル情報を前記端末装置へ送信することと、
をプロセッサに実行させるためのプログラムを記録した読み取り可能な記録媒体であり、
前記対象セルは、ダウンリンクのみのセルを含む、
記録媒体。
【請求項２８】
端末装置のアイドルモードでのＭＤＴ測定の対象セルを示す対象セル情報であって、基地局により送信される当該対象セル情報を取得することと、
前記対象セル情報に基づいて前記ＭＤＴ測定を行うことと、
をプロセッサに実行させるためのプログラムであり、
前記対象セルは、ダウンリンクのみのセルを含む、
プログラム。
【請求項２９】
端末装置のアイドルモードでのＭＤＴ測定の対象セルを示す対象セル情報であって、基地局により送信される当該対象セル情報を取得することと、
前記対象セル情報に基づいて前記ＭＤＴ測定を行うことと、
をプロセッサに実行させるためのプログラムを記録した読み取り可能な記録媒体であり、
前記対象セルは、ダウンリンクのみのセルを含む、
記録媒体。
【請求項３０】
端末装置のアイドルモードでのＭＤＴ測定の対象セルを示す対象セル情報を取得することと、
前記対象セル情報を基地局へ送信することと、
をプロセッサに実行させるためのプログラムであり、
前記対象セルは、ダウンリンクのみのセルを含む、
プログラム。
【請求項３１】
端末装置のアイドルモードでのＭＤＴ測定の対象セルを示す対象セル情報を取得することと、
前記対象セル情報を基地局へ送信することと、
をプロセッサに実行させるためのプログラムを記録した読み取り可能な記録媒体であり、
前記対象セルは、ダウンリンクのみのセルを含む、
記録媒体。
【請求項３２】
前記装置は、基地局、基地局のための基地局装置、又は当該基地局装置のためのモジュールである、請求項１〜１２のいずれか１項に記載の装置。
【請求項３３】
前記装置は、前記端末装置、又は前記端末装置のためのモジュールである、請求項１３〜１５のいずれか１項に記載の装置。
【請求項３４】
前記装置は、コアネットワークノード、又はコアネットワークノードのためのモジュールである、請求項１６に記載の装置。
【発明の詳細な説明】
【技術分野】
【０００１】
本発明は、ＭＤＴ（Minimization  of  Drive  Tests）測定に関連する装置、方法及びシステムに関する。
【背景技術】
【０００２】
ＵＥ（User  Equipment）のユーザプレーン（User  Plane：U-Plane）のスループット向上を目的として、複数のセルを束ねて（aggregate）使用する技術がある。当該技術は、キャリアアグリゲーション（Carrier  Aggregation：ＣＡ）と呼ばれ、非特許文献１に開示されている。【０００３】
近年では、ダウンリンク（downlink：ＤＬ）向けのサービスが多く、アップリンク（Uplink：ＵＬ）よりもＤＬのスループットの向上が求められている。これに関連して、非特許文献２には、Ｂａｎｄ  ２９及びＢａｎｄ  ３２がＤＬ専用帯域として定義されている。当該ＤＬ専用帯域のセルは、ＵＥが接続モード（又は接続状態）である場合に、セカンダリセルとして使用されるが、プライマリセルとして使用されない。また、上記ＤＬ専用帯域のセルは、ＤＬのみのセル（DL  only  cell）であり、ＵＥがアイドルモード（又はアイドル状態）である場合に行うセル選択（Cell  Selection）及びセル再選択（Cell  Reselection）の対象外である。【０００４】
さらに、３ＧＰＰのＬＴＥ−Ａｄｖａｎｃｅｄでは、ＭＤＴ機能が仕様化された。当該ＭＤＴ機能は、ＯＰＥＸ（operation  expenditure）低減を目的として、走行試験を代替する機能である。ＭＤＴでは、ＵＥによる測定（measurements）から得られる情報がネットワーク側で収集され、カバレッジ問題の検出が行われる。これは、非特許文献３に開示されている。ＭＤＴに関する測定及び収集の手法として、Ｌｏｇｇｅｄ  ＭＤＴ及びＩｍｍｅｄｉａｔｅ  ＭＤＴという２つの手法がある。Ｌｏｇｇｅｄ  ＭＤＴは、アイドルモードのＵＥに測定を行わせ、当該ＵＥが接続状態になった際に当該測定の結果を当該ＵＥに報告させる手法である。Ｉｍｍｅｄｉａｔｅ  ＭＤＴは、接続モードのＵＥに測定を行わせ、当該測定の結果を当該ＵＥに報告させる手法である。なお、非特許文献４には、これらの測定についてのＲＲＣ（Radio  Resource  Control）手続きが開示されている。
【先行技術文献】
【非特許文献】
【０００５】
【非特許文献１】3GPP  TS  36.300  V12.5.0  (2015-03)  3rd  Generation  Partnership  Project;  Technical  Specification  Group  Radio  Access  Network;  Evolved  Universal  Terrestrial  Radio  Access  (E-UTRA)  and  Evolved  Universal  Terrestrial  Radio  Access  Network  (E-UTRAN);  Overall  description;  Stage  2  (Release  12)
【非特許文献２】3GPP  TS  36.101  V12.7.0  (2015-03)  3rd  Generation  Partnership  Project;  Technical  Specification  Group  Radio  Access  Network;  Evolved  Universal  Terrestrial  Radio  Access  (E-UTRA);  User  Equipment  (UE)  radio  transmission  and  reception  (Release  12)
【非特許文献３】3GPP  TS  37.320  V12.2.0  (2014-09)  3rd  Generation  Partnership  Project;  Technical  Specification  Group  Radio  Access  Network;  Universal  Terrestrial  Radio  Access  (UTRA)  and  Evolved  Universal  Terrestrial  Radio  Access  (E-UTRA);  Radio  measurement  collection  for  Minimization  of  Drive  Tests  (MDT);  Overall  description;  Stage  2  (Release  12)
【非特許文献４】3GPP  TS  36.331  V12.5.0  (2015-03)  3rd  Generation  Partnership  Project;  Technical  Specification  Group  Radio  Access  Network;  Evolved  Universal  Terrestrial  Radio  Access  (E-UTRA);  Radio  Resource  Control  (RRC);  Protocol  Specification  (Release  12)
【発明の概要】
【発明が解決しようとする課題】
【０００６】
上述したように、非特許文献２に定義されているＤＬ専用帯域（例えば、Ｂａｎｄ  ２９、３２）のセルは、ＤＬのみのセルであり、セカンダリセルとして使用される。具体的には、例えば、ＤＬのみのセルは、プライマリセルとして使用されるセルのカバレッジエレリア内に配置され、当該プライマリセルとともにセカンダリセルとして使用される。当該プライマリセルと当該セカンダリセル（即ち、ＤＬのみのセル）とは、同じｅＮＢ（evolved  Node  B）のセルである。【０００７】
上記セカンダリセルのカバレッジは、上記プライマリセルのカバレッジ外で且つ他のセル（他のｅＮＢのセル）のカバレッジ内のエリアまで及ぶ可能性がある。上記セカンダリセルのカバレッジのうちの当該エリアは、利用不能なカバレッジ（unavailable  coverage）であり、無駄なカバレッジである。このような利用不能なカバレッジ（又は無駄なカバレッジ）は、他のセルへの干渉の要因となり得る。最適なエリア設計のために、このような利用不能なカバレッジに関する情報が、ＭＤＴにより収集されることが望ましい。【０００８】
しかし、Ｌｏｇｇｅｄ  ＭＤＴでは、上記利用不能なカバレッジに関する情報を収集することが困難である。なぜならば、Ｌｏｇｇｅｄ  ＭＤＴ測定では、セル選択（Cell  Selection）及びセル再選択（Cell  Reselection）の対象となるセルについての測定しか行われず、セカンダリセルとしてのみ使用されるセル（ＤＬのみのセル）は測定の対象外だからである。結果として、利用不能なカバレッジに関する情報は、アイドルモードのＵＥにより収集されず、接続モードのＵＥのみにより収集されることになり得る。【０００９】
本発明の目的は、ＤＬのみのセルの最適なエリア設計のための情報をより効率的に収集することを可能にすることにある。
【課題を解決するための手段】
【００１０】
本発明の第１の装置は、端末装置のアイドルモードでのＭＤＴ（Minimization  of  Drive  Tests）測定の対象セルを示す対象セル情報を取得する情報取得部と、上記対象セル情報を前記端末装置へ送信する通信処理部と、を備える。上記対象セルは、ダウンリンクのみのセルを含む。【００１１】
本発明の第２の装置は、端末装置のアイドルモードでのＭＤＴ測定の対象セルを示す対象セル情報であって、基地局により送信される当該対象セル情報を取得する情報取得部と、上記対象セル情報に基づいて上記ＭＤＴ測定を行う測定部と、を備える。上記対象セルは、ダウンリンクのみのセルを含む。【００１２】
本発明の第３の装置は、端末装置のアイドルモードでのＭＤＴ測定の対象セルを示す対象セル情報を取得する情報取得部と、上記対象セル情報を基地局へ送信する通信処理部と、を備える。上記対象セルは、ダウンリンクのみのセルを含む。【００１３】
本発明の第１の方法は、端末装置のアイドルモードでのＭＤＴ測定の対象セルを示す対象セル情報を取得することと、上記対象セル情報を前記端末装置へ送信することと、を含む。上記対象セルは、ダウンリンクのみのセルを含む。【００１４】
本発明の第２の方法は、端末装置のアイドルモードでのＭＤＴ測定の対象セルを示す対象セル情報であって、基地局により送信される当該対象セル情報を取得することと、上記対象セル情報に基づいて上記ＭＤＴ測定を行うことと、を含む。上記対象セルは、ダウンリンクのみのセルを含む。【００１５】
本発明の第３の方法は、端末装置のアイドルモードでのＭＤＴ測定の対象セルを示す対象セル情報を取得することと、上記対象セル情報を基地局へ送信することと、を含む。上記対象セルは、ダウンリンクのみのセルを含む。【００１６】
本発明のシステムは、端末装置のアイドルモードでのＭＤＴ測定の対象セルを示す対象セル情報を前記端末装置へ送信する基地局と、上記対象セル情報に基づいて上記ＭＤＴ測定を行う端末装置と、を含む。上記対象セルは、ダウンリンクのみのセルを含む。【００１７】
本発明の第４の方法は、基地局において、端末装置のアイドルモードでのＭＤＴ測定の対象セルを示す対象セル情報を前記端末装置へ送信することと、上記端末装置において、上記対象セル情報に基づいて上記ＭＤＴ測定を行うことと、を含む。上記対象セルは、ダウンリンクのみのセルを含む。
【発明の効果】
【００１８】
本発明によれば、ＤＬのみのセルの最適なエリア設計のための情報をより効率的に収集することが可能になる。なお、本発明により、当該効果の代わりに、又は当該効果とともに、他の効果が奏されてもよい。
【図面の簡単な説明】
【００１９】
【図１】本発明の実施形態に係るシステムの概略的な構成の一例を示す説明図である。
【図２】セル配置の第１のケースの例を説明するための説明図である。
【図３】セル配置の第２のケースの例を説明するための説明図である。
【図４】第１の実施形態に係る基地局の概略的な構成の例を示すブロック図ある。
【図５】第１の実施形態に係る端末装置の概略的な構成の例を示すブロック図ある。
【図６】第１の実施形態に係るネットワークノードの概略的な構成の例を示すブロック図ある。
【図７】セル配置の第１のケースにおけるＬｏｇｇｅｄ  ＭＤＴ測定の開始及び終了の例を説明するための説明図である。
【図８】セル配置の第２のケースにおけるＬｏｇｇｅｄ  ＭＤＴ測定の開始及び終了の例を説明するための説明図である。
【図９】第１の実施形態に係る基地局及び端末装置の処理の概略的な流れの第１の例を示すシーケンス図である。
【図１０】第１の実施形態に係る基地局及び端末装置の処理の概略的な流れの第２の例を示すシーケンス図である。
【図１１】第１の実施形態に係る基地局及びネットワークノードの処理の概略的な流れの一例を示すシーケンス図である。
【図１２】第２の実施形態に係る基地局の概略的な構成の例を示すブロック図ある。
【図１３】第２の実施形態に係る端末装置の概略的な構成の例を示すブロック図ある。
【図１４】第２の実施形態に係る基地局及び端末装置の処理の概略的な流れの一例を示すシーケンス図である。
【発明を実施するための形態】
【００２０】
以下、添付の図面を参照して本発明の実施形態を詳細に説明する。なお、本明細書及び図面において、同様に説明されることが可能な要素については、同一の符号を付することにより重複説明が省略され得る。
【００２１】
説明は、以下の順序で行われる。
１．関連技術
２．本発明の実施形態の概要
３．システムの構成例
４．第１の実施形態
４．１．基地局の構成例
４．２．端末装置の構成例
４．３．ネットワークノードの構成例
４．４．技術的特徴
５．第２の実施形態
５．１．基地局の構成例
５．２．端末装置の構成例
５．３．技術的特徴
【００２２】
＜＜１．関連技術＞＞
本発明の実施形態に関連する技術として、キャリアアグリゲーション（Carrier  Aggregation：ＣＡ）及びＭＤＴ（Minimization  of  Drive  Tests）を説明する。
【００２３】
（１）キャリアアグリゲーション（ＣＡ）
３ＧＰＰ（Third  Generation  Partnership  Project）のＬＴＥ−Ａｄｖａｎｃｅｄでは、ｅＮＢ（evolved  Node  B）によりＥ−ＵＴＲＡＮ（Evolved  Universal  Terrestrial  Radio  Access）が構成される。また、近年、様々なセルによりＨｅｔＮｅｔ（Heterogeneous  Network）環境が形成されている。例えば、広いカバレッジを有するマクロセル（Macro  Cell）、並びに、狭いカバレッジを有するスモールセル（Small  Cell）を配置することが考えられる。当該スモールセルは、マイクロセル（Micro  cell）、ピコセル（Pico  Cell）又はフェムトセル（Femto  Cell）であってもよく、あるいは、マクロセルよりも小さい他の種類のセルであってもよい。
【００２４】
ＵＥ（User  Equipment）のユーザプレーン（User  Plane：U-Plane）のスループットの向上を目的として、複数のセルを束ねて（aggregate）使用する技術がある。当該技術は、キャリアアグリゲーション（ＣＡ）と呼ばれ、非特許文献１（3GPP  TS  36.300  V12.5.0）に開示されている。例えば、キャリアアグリゲーションは、異なる周波数と重複するカバレッジとを有する複数のセルの環境（Ｈｅｔ−Ｎｅｔ環境）において使用される。なお、上記複数のセルは、同じｅＮＢのセル（即ち、Ｉｎｔｒａ−ｅＮＢのセル）である。
【００２５】
ＣＡにおいて束ねられる複数のセルは、ユーザプレーン及び制御プレーン（Control  Plane：C-Plane）の通信に使用される１つのプライマリセル（Primary  Cell：PCell）と、ユーザプレーンの通信に使用される１つ以上のセカンダリセル（Secondary  Cell：SCell）（最大４つのセカンダリセル）とを含む。なお、束ねられるセルの数が大きいほど、スループットがより大きくなり得る。
【００２６】
近年では、ＤＬ向けのサービスが多く、アップリンク（Uplink：ＵＬ）よりもＤＬのスループットの向上が求められている。これに関連して、非特許文献２（3GPP  TS  36.101  V12.7.0）には、Ｂａｎｄ  ２９及びＢａｎｄ  ３２がＤＬ専用帯域として定義されている。当該ＤＬ専用帯域のセルは、ＵＥが接続モード（又は接続状態）である場合に、セカンダリセルとして使用されるが、プライマリセルとして使用されない。また、上記ＤＬ専用帯域のセルは、ＵＥがアイドルモード（又はアイドル状態）である場合に行うセル選択（Cell  Selection）及びセル再選択（Cell  Reselection）の対象外である。そのため、ＵＥは、上記ＤＬ専用帯域のセルにキャンプオン（camp  on）することはできない。
【００２７】
ＣＡでは、接続モードにおけるハンドオーバ（handover：ＨＯ）の制御は、プライマリセルを切り替える制御になる。ＨＯ前のプライマリセル（即ち、古いプライマリセル）とＨＯ後のプライマリセル（即ち、新たなプライマリセル）とが同じｅＮＢのセル（即ち、Ｉｎｔｒａ−ｅＮＢのセル）であれば、セカンダリセルが継続して使用可能であり得る。一方、ＨＯ前のプライマリセル（即ち、古いプライマリセル）とＨＯ後のプライマリセル（即ち、新たなプライマリセル）とが異なるｅＮＢのセル（即ち、Ｉｎｔｅｒ−ｅＮＢのセル）であれば、セカンダリセルは継続して使用不能である。
【００２８】
（２）ＭＤＴ（Minimization  of  Drive  Tests）
３ＧＰＰのＬＴＥ−Ａｄｖａｎｃｅｄでは、ＭＤＴ機能が仕様化された。当該ＭＤＴ機能は、ＯＰＥＸ（operation  expenditure）低減を目的として、走行試験を代替する機能である。
【００２９】
ＭＤＴでは、ＵＥによる測定から得られる情報がネットワーク側で収集され、Ｃｏｖｅｒａｇｅ  ｈｏｌｅ／Ｗｅａｋ  ｃｏｖｅｒａｇｅ、Ｐｉｌｏｔ  Ｐｏｌｌｕｔｉｏｎ／Ｏｖｅｒｓｈｏｏｔ  ｃｏｖｅｒａｇｅ／Ｃｏｖｅｒａｇｅ  ｍａｐｐｉｎｇ／ＵＬ  ｃｏｖｅｒａｇｅ／Ｃｅｌｌ  ｂｏｕｎｄａｒｙ  ｍａｐｐｉｎｇ／Ｃｏｖｅｒａｇｅ  ｍａｐｐｉｎｇ  ｆｏｒ  ｐｉｃｏ  ｃｅｌｌ  ｉｎ  ＣＡ  ｓｃｅｎａｒｉｏ等に関するカバレッジ問題の検出が行われる。これは、非特許文献３（3GPP  TS  37.320  V12.2.0）に開示されている。
【００３０】
ＭＤＴに関する測定及び収集の手法として、Ｌｏｇｇｅｄ  ＭＤＴ及びＩｍｍｅｄｉａｔｅ  ＭＤＴという２つの手法がある。
【００３１】
Ｌｏｇｇｅｄ  ＭＤＴは、アイドルモードのＵＥに測定を行わせ、当該ＵＥが接続状態になった際に当該測定の結果を当該ＵＥに報告させる手法である。上記ＵＥは、“ｃａｍｐｅｄ  ｎｏｒｍａｌｌｙ”ｓｔａｔｅでのみ、周期的な測定を行う。例えば、当該測定は、ＲＳＲＰ（Reference  Signal  Received  Power）及び／又はＲＳＲＱ（Reference  Signal  Received  Quality）の測定、並びに、上記ＵＥの位置の測定を含む。例えば、当該位置の測定には、ＧＮＳＳ（Global  Navigation  Satellite  System）が利用される。
【００３２】
Ｉｍｍｅｄｉａｔｅ  ＭＤＴは、接続モードのＵＥに測定を行わせ、当該測定の結果を当該ＵＥに報告させる手法である。上記ＵＥは、周期的な測定、及び／又は、イベントトリガの測定を行う。例えば、当該測定は、ＲＳＲＰ及び／又はＲＳＲＱの測定、並びに、上記ＵＥの位置の測定を含む。例えば、当該位置の測定には、ＧＮＳＳが利用される。
【００３３】
なお、非特許文献４（3GPP  TS  36.331  V12.5.0）には、これらの測定についてのＲＲＣ（Radio  Resource  Control）手続きが開示されている。
【００３４】
＜＜２．本発明の実施形態の概要＞＞
本発明の実施形態の概要を説明する。
【００３５】
（１）技術的課題
ＤＬ専用帯域（例えば、Ｂａｎｄ  ２９、３２）のセルは、ＤＬのみのセルであり、セカンダリセルとして使用される。具体的には、例えば、ＤＬのみのセルは、プライマリセルとして使用されるセルのカバレッジエレリア内に配置され、当該プライマリセルとともにセカンダリセルとして使用される。当該プライマリセルと当該セカンダリセル（即ち、ＤＬのみのセル）とは、同じｅＮＢ（evolved  Node  B）のセルである。
【００３６】
上記セカンダリセルのカバレッジは、上記プライマリセルのカバレッジ外で且つ他のセル（他のｅＮＢのセル）のカバレッジ内のエリアまで及ぶ可能性がある。上記セカンダリセルのカバレッジのうちの当該エリアは、利用不能なカバレッジ（unavailable  coverage）であり、無駄なカバレッジである。このような利用不能なカバレッジ（又は無駄なカバレッジ）は、他のセルへの干渉の要因となり得る。最適なエリア設計のために、このような利用不能なカバレッジに関する情報が、ＭＤＴにより収集されることが望ましい。
【００３７】
しかし、Ｌｏｇｇｅｄ  ＭＤＴでは、上記利用不能なカバレッジに関する情報を収集することが困難である。なぜならば、Ｌｏｇｇｅｄ  ＭＤＴ測定では、セル選択（Cell  Selection）及びセル再選択（Cell  Reselection）の対象となるセルについての測定しか行われず、セカンダリセルとしてのみ使用されるセル（ＤＬのみのセル）は測定の対象外だからである。結果として、利用不能なカバレッジに関する情報は、アイドルモードのＵＥにより収集されず、接続モードのＵＥのみにより収集されることになり得る。
【００３８】
（２）技術的特徴
本発明の実施形態では、上記技術的課題を解決するために、例えば、ｅＮＢは、Ｌｏｇｇｅｄ  ＭＤＴ測定の対象セルを示す対象セル情報をＵＥへ送信する。当該対象セルは、ＤＬのみのセルを含む。そして、例えば、当該ＵＥは、上記対象セル情報に基づいて、上記ＤＬのみのセルについてのＬｏｇｇｅｄ  ＭＤＴ測定を行う。
【００３９】
これにより、例えば、アイドルモードのＵＥがＤＬのみのセルについてのＭＤＴ測定を行うことが可能になる。即ち、接続モードのＵＥのみではなく、アイドルモードのＵＥによっても、ＤＬのみのセルについてのＭＤＴ測定が行われる。よって、ＤＬのみのセルの最適なエリア設計のための情報がより効率的に収集され得る。
【００４０】
＜＜３．システムの構成例＞＞
図１〜図３を参照して、本発明の実施形態に係るシステム１の構成の例を説明する。図１は、本発明の実施形態に係るシステム１の概略的な構成の一例を示す説明図である。図１を参照すると、システム１は、基地局１００、端末装置２００及びネットワークノード３００を含む。基地局１００及びネットワークノード３００は、ネットワーク３０を介して互いに通信する。例えば、ネットワーク３０は、バックホール及びコアネットワークを含む。
【００４１】
システム１は、３ＧＰＰ（Third  Generation  Partnership  Project）の規格に準拠したシステムであってもよい。より具体的には、システム１は、ＬＴＥ（Long  Term  Evolution）／ＬＴＥ−Ａｄｖａｎｃｅｄ及び／又はＳＡＥ（System  Architecture  Evolution）に準拠したシステムであってもよい。当然ながら、システム１は、これらの例に限定されない。
【００４２】
（１）基地局１００
基地局１００は、無線アクセスネットワーク（Radio  Access  Network：ＲＡＮ）のノードであり、カバレッジ１１内に位置する端末装置（例えば、端末装置２００）との無線通信を行う。例えば、基地局１００は、ｅＮＢである。
【００４３】
（２）端末装置２００
端末装置２００は、基地局との無線通信を行う。例えば、端末装置２００は、基地局１００のカバレッジ１１内に位置する場合に、基地局１００との無線通信を行う。例えば、端末装置２００は、ＵＥである。
【００４４】
（３）ネットワークノード３００
ネットワークノード３００は、コアネットワークノードであり、ＭＤＴに関連する制御を行う。例えば、ネットワークノード３００は、ＭＭＥ（Mobility  Management  Entity）、ＴＣＥ（Trace  Collection  Entity）、及び／又はＥＭである。あるいは、ネットワークノード３００は、他のコアネットワークノードであってもよい。
【００４５】
（４）ＭＤＴ
とりわけ本発明の実施形態では、基地局１００及び端末装置２００は、ＭＤＴをサポートする。例えば、基地局１００は、ＭＤＴ測定（measurements）のコンフィギュレーションを行い、端末装置２００は、当該コンフィギュレーションに基づいて、ＭＤＴ測定を行う。上記ＭＤＴ測定は、アイドルモードでのＭＤＴ測定及び／又は接続モードでのＭＤＴ測定を含む。例えば、アイドルモードでのＭＤＴ測定は、Ｌｏｇｇｅｄ  ＭＤＴ測定であり、接続モードでのＭＤＴ測定は、Ｉｍｍｅｄｉａｔｅ  ＭＤＴ測定である。また、アイドルモード及び接続モードは、端末装置２００のモードである。
【００４６】
（５）セル配置のケース
本発明の実施形態では、様々なセル配置のケースがあり得る。
【００４７】
（ａ）第１のケース
第１のケースでは、基地局１００は、カバレッジ１１を有するセル（例えば、マクロセル）に加えて、カバレッジ１１と重なるカバレッジを有するスモールセルを使用する。即ち、カバレッジ１１と重なるカバレッジを有する（基地局１００の）スモールセルが配置される。当該スモールセルは、マイクロセル（Micro  cell）、ピコセル（Pico  Cell）又はフェムトセル（Femto  Cell）であってもよく、あるいは、マクロセルよりも小さい他の種類のセルであってもよい。一例として、基地局１００はリモートユニットを有し、当該リモートユニットにより上記スモールセルが配置される。当該リモートユニットは、ＲＲＨ（Remote  Radio  Head）若しくはＲＲＵ（Remote  Radio  Unit）であってもよく、又は、物理層（Physical  Layer）の処理も行うユニットであってもよい。
【００４８】
とりわけ、上記スモールセルは、ＤＬのみのセルであり、プライマリセルとしては使用されず、セカンダリセルとして使用される。例えば、基地局１００は、上記マクロセルをプライマリセルとして使用し、上記スモールセルをセカンダリセルとして使用して、これらのセルの両方のカバレッジ内に位置する端末装置との無線通信を行うことができる。
【００４９】
さらに、とりわけ、上記スモールセルのカバレッジは、基地局１００の隣接（neighbor）基地局のカバレッジと重なる。以下、図２を参照して、セル配置の第１のケースの例を説明する。
【００５０】
図２は、セル配置の第１のケースの例を説明するための説明図である。図２を参照すると、基地局１００及び端末装置２００が示されている。さらに、基地局１００のリモートユニット４０、及び、基地局１００の隣接基地局５０が示されている。基地局１００は、カバレッジ１１を有するマクロセルと、カバレッジ４１を有するスモールセルとを使用する。当該スモールセルは、ＤＬのみのセルである。隣接基地局５０は、カバレッジ５１を有するマクロセルを使用する。この例では、上記スモールセルのカバレッジ４１は、基地局１００の上記マクロセルのカバレッジ１１外で且つ隣接基地局５０の上記マクロセルのカバレッジ５１内のエリア４３まで及ぶ。カバレッジ４１を有する上記スモールセルと、カバレッジ５１を有する上記マクロセルとは、異なる基地局のセルであり、キャリアアグリゲーションで使用不能であるので、エリア４３は、上記スモールセルについての利用不能なカバレッジ（又は無駄なカバレッジ）である。
【００５１】
なお、基地局１００は、１つのスモールセルのみではなく、複数のスモールセルを使用してもよい。即ち、基地局１００の複数のスモールセルが配置されてもよい。この場合に、当該複数のスモールセルの各々について、利用不能なカバレッジが存在する可能性がある。
【００５２】
（ｂ）第２のケース
第２のケースでは、基地局１００の隣接基地局が、マクロセルに加えて、当該マクロセルのカバレッジと重なるカバレッジを有するスモールセルを使用する。即ち、カバレッジが重なる（上記隣接基地局の）マクロセル及びスモールセルが配置される。当該スモールセルは、マイクロセル、ピコセル又はフェムトセルであってもよく、あるいは、マクロセルよりも小さい他の種類のセルであってもよい。一例として、上記隣接基地局はリモートユニットを有し、当該リモートユニットにより上記スモールセルが配置される。当該リモートユニットは、ＲＲＨ若しくはＲＲＵであってもよく、又は、物理層の処理も行うユニットであってもよい。
【００５３】
とりわけ、上記スモールセルは、ＤＬのみのセルであり、プライマリセルとしては使用されず、セカンダリセルとして使用される。例えば、上記隣接基地局は、上記マクロセルをプライマリセルとして使用し、上記スモールセルをセカンダリセルとして使用して、これらのセルの両方のカバレッジ内に位置する端末装置との無線通信を行うことができる。
【００５４】
さらに、とりわけ、上記スモールセルのカバレッジは、基地局１００のカバレッジ１１と重なる。以下、図３を参照して、セル配置の第２のケースの例を説明する。
【００５５】
図３は、セル配置の第２のケースの例を説明するための説明図である。図３を参照すると、基地局１００及び端末装置２００が示されている。さらに、基地局１００の隣接基地局６０と、隣接基地局６０のリモートユニット７０とが示されている。基地局１００は、カバレッジ１１を有するマクロセルを使用する。隣接基地局６０は、カバレッジ６１を有するマクロセルと、カバレッジ７１を有するスモールセルとを使用する。当該スモールセルは、ＤＬのみのセルである。この例では、上記スモールセルのカバレッジ７１は、隣接基地局６０の上記マクロセルのカバレッジ６１外で且つ基地局１００の上記マクロセルのカバレッジ１１内のエリア７３まで及ぶ。カバレッジ７１を有する上記スモールセルと、カバレッジ１１を有する上記マクロセルとは、異なる基地局のセルであり、キャリアアグリゲーションで使用不能であるので、エリア７３は、上記スモールセルについての利用不能なカバレッジ（又は無駄なカバレッジ）である。
【００５６】
なお、隣接基地局６０は、１つのスモールセルのみではなく、複数のスモールセルを使用してもよい。即ち、隣接基地局６０の複数のスモールセルが配置されてもよい。また、隣接基地局６０のスモールセルのみではなく、他の隣接基地局のスモールセルも配置されてもよい。
【００５７】
（ｃ）その他
上述した第１のケースと第２のケースとは共存してもよい。即ち、基地局１００の隣接基地局として、隣接基地局５０及び隣接基地局６０が存在してもよく、カバレッジ４１を有するスモールセルと、カバレッジ７１を有するスモールセルとが、配置されてもよい。そのため、利用不能なカバレッジであるエリア４３及びエリア７３の両方が存在してもよい。
【００５８】
また、上述した第１のケース及び第２のケースは例示であり、本発明の実施形態では、セル配置の他のケースもあり得る。
【００５９】
なお、上述した様々なケースにおいて、例えば、マクロセルとスモールセルとでは、周波数が異なる。より具体的には、例えば、マクロセルとスモールセルとでは、コンポーネントキャリア（Component  Carrier：ＣＣ）が異なる。
【００６０】
＜＜４．第１の実施形態＞＞
続いて、図４〜図１１を参照して、本発明の第１の実施形態を説明する。
【００６１】
＜４．１．基地局の構成例＞
まず、図４を参照して、第１の実施形態に係る基地局１００の構成の例を説明する。図４は、第１の実施形態に係る基地局１００の概略的な構成の例を示すブロック図ある。図４を参照すると、基地局１００は、無線通信部１１０、ネットワーク通信部１２０、記憶部１３０及び処理部１４０を備える。
【００６２】
無線通信部１１０は、信号を無線で送受信する。例えば、無線通信部１１０は、端末装置からの信号を受信し、端末装置への信号を送信する。
【００６３】
ネットワーク通信部１２０は、ネットワーク３０（例えば、バックホール）から信号を受信し、ネットワーク３０（例えば、バックホール）へ信号を送信する。
【００６４】
記憶部１３０は、基地局１００の動作のためのプログラム及びパラメータ、並びに様々なデータを、一時的に又は恒久的に記憶する。
【００６５】
処理部１４０は、基地局１００の様々な機能を提供する。処理部１４０は、情報取得部１４１及び通信処理部１４３を含む。なお、処理部１４０は、これらの構成要素以外の他の構成要素をさらに含み得る。即ち、処理部１４０は、これらの構成要素の動作以外の動作も行い得る。
【００６６】
情報取得部１４１及び通信処理部１４３の具体的な動作は、後に詳細に説明する。
【００６７】
無線通信部１１０は、アンテナ及び高周波（Radio  Frequency：ＲＦ）回路などを含んでもよい。ネットワーク通信部１２０は、ネットワークアダプタ又はネットワークインタフェースカードなどを含んでもよい。記憶部１３０は、メモリ（例えば、不揮発性メモリ及び／若しくは揮発性メモリ）並びに／又はハードディスクなどを含んでもよい。処理部１４０は、ベースバンド（Baseband：ＢＢ）プロセッサ及び／又は他のプロセッサなどを含んでもよい。
【００６８】
＜４．２．端末装置の構成例＞
次に、図５を参照して、第１の実施形態に係る端末装置２００の構成の例を説明する。図５は、第１の実施形態に係る端末装置２００の概略的な構成の例を示すブロック図ある。図５を参照すると、端末装置２００は、無線通信部２１０、記憶部２２０及び処理部２３０を備える。
【００６９】
無線通信部２１０は、信号を無線で送受信する。例えば、無線通信部２１０は、基地局からの信号を受信し、基地局への信号を送信する。
【００７０】
記憶部２２０は、端末装置２００の動作のためのプログラム及びパラメータ、並びに様々なデータを、一時的に又は恒久的に記憶する。
【００７１】
処理部２３０は、端末装置２００の様々な機能を提供する。処理部２３０は、情報取得部２３１、測定部２３３及び報告部２３５を含む。なお、処理部２３０は、これらの構成要素以外の他の構成要素をさらに含み得る。即ち、処理部２３０は、これらの構成要素の動作以外の動作も行い得る。
【００７２】
情報取得部２３１、測定部２３３及び報告部２３５の具体的な動作は、後に詳細に説明する。
【００７３】
無線通信部２１０は、アンテナ及び高周波（ＲＦ）回路などを含んでもよい。記憶部２２０は、メモリ（例えば、不揮発性メモリ及び／若しくは揮発性メモリ）並びに／又はハードディスクなどを含んでもよい。処理部２３０は、ベースバンド（ＢＢ）プロセッサ及び／又は他のプロセッサなどを含んでもよい。
【００７４】
＜４．３．ネットワークノードの構成例＞
次に、図６を参照して、第１の実施形態に係るネットワークノード３００の構成の例を説明する。図６は、第１の実施形態に係るネットワークノード３００の概略的な構成の例を示すブロック図ある。図６を参照すると、ネットワークノード３００は、ネットワーク通信部３１０、記憶部３２０及び処理部３３０を備える。
【００７５】
ネットワーク通信部３１０は、ネットワーク３０から信号を受信し、ネットワーク３０へ信号を送信する。
【００７６】
記憶部３２０は、ネットワークノード３００の動作のためのプログラム及びパラメータ、並びに様々なデータを、一時的に又は恒久的に記憶する。
【００７７】
処理部３３０は、ネットワークノード３００の様々な機能を提供する。処理部３３０は、情報取得部３３１及び通信処理部３３３を含む。なお、処理部３３０は、これらの構成要素以外の他の構成要素をさらに含み得る。即ち、処理部３３０は、これらの構成要素の動作以外の動作も行い得る。
【００７８】
情報取得部３３１及び通信処理部３３３の具体的な動作は、後に詳細に説明する。
【００７９】
なお、ネットワーク通信部３１０は、ネットワークアダプタ又はネットワークインタフェースカードなどを含んでもよい。記憶部３２０は、メモリ（例えば、不揮発性メモリ及び／若しくは揮発性メモリ）並びに／又はハードディスクなどを含んでもよい。処理部３３０は、プロセッサなどを含んでもよい。
【００８０】
＜４．４．技術的特徴＞
次に、図７〜図１１を参照して、第１の実施形態の技術的特徴を説明する。
【００８１】
（１）対象セル情報
基地局１００（情報取得部１４１）は、端末装置２００のアイドルモードでのＭＤＴ測定の対象セルを示す対象セル情報を取得する。そして、基地局１００（通信処理部１４３）は、上記対象セル情報を端末装置２００へ送信する。上記対象セルは、ＤＬのみのセルを含む。上記対象セル情報は、２つ以上の対象セルを示してもよく、この場合に、当該２つ以上の対象セルは、上記ＤＬのみのセルに加えてＵＬ及びＤＬのセルをさらに含んでもよく、又は、ＤＬのみのセルしか含まなくてもよい。
【００８２】
端末装置２００（情報取得部２３１）は、上記対象セル情報を取得する。そして、端末装置２００（測定部２３３）は、上記対象セル情報に基づいて、上記ＭＤＴ測定を行う。
【００８３】
（ａ）アイドルモードでのＭＤＴ測定
上記アイドルモードでの上記ＭＤＴ測定は、換言すると、アイドルモードの端末装置により行われるＭＤＴ測定である。例えば、上記アイドルモードでの上記ＭＤＴ測定は、Ｌｏｇｇｅｄ  ＭＤＴ測定（即ち、Ｌｏｇｇｅｄ  ＭＤＴのための測定）である。
【００８４】
（ｂ）ＤＬのみのセル（対象セル）
−帯域
例えば、上記ＤＬのみのセルは、ＤＬ専用帯域のセルである。例えば、当該ＤＬ専用帯域は、Ｂａｎｄ  ２９又はＢａｎｄ３２である。上記ＤＬ専用帯域、又は上記ＤＬ専用帯域に含まれるコンポーネントキャリア（ＣＣ）は、サプリメンタルダウンリンク（supplemental  downlink）、サプリメンタルダウンリンクスペクトラム（supplemental  downlink  spectrum）、又はサプリメンタルダウンリンクチャネル（supplemental  downlink  channel）とも呼ばれ得る。
【００８５】
あるいは、上記ＤＬのみのセルは、ＤＬ専用帯域以外の帯域のセルであってもよく、オペレータによりＵＬに使用されずＤＬのみに使用されるセルであってもよい。
【００８６】
−セル配置
−−第１のケース
例えば上述したセル配置の第１のケース（図２を参照）では、上記ＤＬのみセルは、基地局１００のセルである。例えば、図２を再び参照すると、上記ＤＬのみのセルは、カバレッジ４１を有する基地局１００のスモールセルである。
【００８７】
これにより、例えば、基地局１００のＤＬのみのセルを対象とするＬｏｇｇｅｄ  ＭＤＴ測定を行うことが可能になる。
【００８８】
−−第２のケース
例えば上述したセル配置の第２のケース（図３を参照）では、上記ＤＬのみセルは、基地局１００とは異なる他の基地局（例えば基地局１００の隣接基地局）のセルである。例えば、図３を再び参照すると、上記ＤＬのみのセルは、カバレッジ７１を有する隣接基地局６０のスモールセルである。
【００８９】
これにより、例えば、基地局１００とは異なる他の基地局（例えば、隣接基地局）のＤＬのみのセルを対象とするＬｏｇｇｅｄ  ＭＤＴ測定を行うことが可能になる。
【００９０】
（ｃ）対象セル情報の内容
例えば、上記対象セル情報は、上記ＤＬのみのセルのセルＩＤ、上記ＤＬのみのセルの周波数バンドを示すバンド情報、及び／又は、上記ＤＬのみのセルの周波数を示す周波数情報を含む。これにより、例えば、端末装置２００は、上記ＤＬのみのセルを容易に見つけ、測定を行うことが可能になる。
【００９１】
（ｄ）取得
例えば、ネットワークノード３００（情報取得部３３１）は、上記対象セル情報を取得する。そして、ネットワークノード３００（通信処理部３３３）は、上記対象セル情報を基地局１００へ送信する。この場合に、基地局１００（情報取得部１４１）は、ネットワークノード３００により送信される上記対象セル情報を取得する。ネットワークノード３００は、上記対象セル情報を予め記憶していてもよく、又は、上記対象セル情報を自ら生成してもよい。
【００９２】
具体的には、例えば、ネットワークノード３００は、上記対象セル情報を含むＭＤＴコンフィギュレーションを基地局１００へ送信する。そして、基地局１００（情報取得部１４１）は、上記対象セル情報を含む当該ＭＤＴコンフィギュレーションを取得する。
【００９３】
これにより、例えば、コアネットワーク側でのＭＤＴ測定の制御が可能になる。
【００９４】
あるいは、基地局１００が、上記対象セル情報を予め記憶していてもよく、又は、上記対象セル情報を自ら生成してもよい。そして、基地局１００（情報取得部１４１）は、当該対象セル情報を取得してもよい。
【００９５】
（ｅ）送信
例えば、上記対象セル情報は、上記アイドルモードでのＭＤＴ（例えば、Ｌｏｇｇｅｄ  ＭＤＴ）のためのコンフィギュレーションパラメータに含まれる。例えば、当該コンフィギュレーションパラメータは、ネットワークノード３００により送信される上記ＭＤＴコンフィギュレーションに含まれる。基地局１００（通信処理部１４３）は、当該コンフィギュレーションパラメータを含むメッセージを端末装置２００へ送信する。例えば、当該メッセージは、Ｌｏｇｇｅｄ  Ｍｅａｓｕｒｅｍｅｎｔ  Ｃｏｎｆｉｇｕｒａｔｉｏｎメッセージである。
【００９６】
これにより、例えば、既存の手続きの中で上記対象セル情報を送信することが可能になる。
【００９７】
なお、基地局１００（通信処理部１４３）は、他のメッセージの中で上記対象セル情報を送信してもよい。あるいは、基地局１００（通信処理部１４３）は、端末装置２００への個別のメッセージではなく、システム情報（例えば、ＳＩＢ（System  Information  Block））の中で上記対象セル情報を送信してもよい。
【００９８】
（ｆ）測定
例えば、端末装置２００（測定部２３３）は、上記対象セル情報に基づいて、上記ＤＬのみのセルについてのＭＤＴ測定（例えば、Ｌｏｇｇｅｄ  ＭＤＴ測定）を行う。
【００９９】
例えば、端末装置２００（測定部２３３）は、ＤＬのみのセルについての受信電力及び／又は受信品質（例えば、ＲＳＲＰ及び／又はＲＳＲＱ）を測定する。
【０１００】
さらに、例えば、端末装置２００（測定部２３３）は、端末装置２００の位置も測定する。例えば、端末装置２００（測定部２３３）は、ＧＮＳＳを利用して、端末装置２００の位置を測定する。
【０１０１】
例えば以上のような測定が行われ、受信電力及び／又は受信品質を示す情報と、端末装置２００の位置を示す情報とのペアが、測定結果として得られる。
【０１０２】
（ｇ）その他
上述したセル配置の第１のケース及び第２のケースは共存してもよい。
【０１０３】
一例として、上記第１のケースについての第１の対象セル情報（例えば、図２に示されるカバレッジ４１を有するスモールセルを示す情報）と、上記第２のケースについての第２の対象セル情報（例えば、図３に示されるカバレッジ７１を有するスモールセルを示す情報）とが存在してもよい。基地局１００は、当該第１の対象セル情報及び当該第２の対象セル情報を端末装置２００へ送信してもよい。そして、端末装置２００は、当該第１の対象セル情報及び当該第２の対象セル情報に基づいて、上記ＭＤＴ測定（例えば、カバレッジ４１を有するスモールセルについてのＬｏｇｇｅｄ  ＭＤＴ測定、及び／又は、カバレッジ７１を有するスモールセルについてのＬｏｇｇｅｄ  ＭＤＴ測定）を行ってもよい。
【０１０４】
別の例として、上記対象セル情報は、２つ以上の対象セルを示してもよく、当該２つ以上の対象セルは、第１のケースのＤＬのみのセル（例えば、カバレッジ４１を有するスモールセル）及び第２のケースのＤＬのみのセル（例えば、カバレッジ７１を有するスモールセル）を含んでもよい。基地局１００は、上記対象セル情報を端末装置２００へ送信してもよい。そして、端末装置２００は、上記対象セル情報に基づいて、上記ＭＤＴ測定（例えば、カバレッジ４１を有するスモールセルについてのＬｏｇｇｅｄ  ＭＤＴ測定、及び／又は、カバレッジ７１を有するスモールセルについてのＬｏｇｇｅｄ  ＭＤＴ測定）を行ってもよい。
【０１０５】
例えば以上のように、基地局１００は、上記対象セル情報を端末装置２００へ送信し、端末装置２００は、上記対象セル情報に基づいて上記ＭＤＴ測定を行う。これにより、例えば、アイドルモードの端末装置２００がＤＬのみのセルについてのＭＤＴ測定を行うことが可能になる。即ち、接続モードの端末装置２００のみではなく、アイドルモードの端末装置２００によっても、ＤＬのみのセルについてのＭＤＴ測定が行われる。よって、ＤＬのみのセルの最適なエリア設計のための情報がより効率的に収集され得る。
【０１０６】
（２）開始条件情報／終了条件情報
例えば、基地局１００（情報取得部１４１）は、上記ＭＤＴ測定の開始条件に関する開始条件情報、及び、上記ＭＤＴ測定の終了条件に関する終了条件情報を取得する。そして、基地局１００（通信処理部１４３）は、上記開始条件情報及び上記終了条件情報を端末装置２００へ送信する。
【０１０７】
例えば、端末装置２００（情報取得部２３１）は、上記開始条件情報及び上記終了条件情報を取得する。そして、端末装置２００（測定部２３３）は、上記開始条件情報に基づいて上記ＭＤＴ測定を開始し、上記終了条件情報に基づいて上記ＭＤＴ測定を終了する。
【０１０８】
（ａ）開始条件情報／終了条件情報の内容
上記開始条件情報及び上記終了条件情報は、上述したセル配置の第１のケース（図２を参照）と、上述したセル配置の第２のケース（図３を参照）とで異なり得る。
【０１０９】
（ａ−１）セル配置の第１のケース
まず、上述したセル配置の第１のケース（図２を参照）での開始条件情報及び終了条件情報の内容を説明する。上述したように、当該第１のケースでは、上記ＤＬのみのセルは、基地局１００のセル（例えば図２に示されるカバレッジ４１を有するスモールセル）である。
【０１１０】
−開始
例えば、上記開始条件は、セル再選択（cell  reselection）において特定のセルが選択されることを含み、上記開始条件情報は、上記特定のセルを示すセル情報を含む。この場合に、端末装置２００（測定部２３３）は、セル再選択において上記特定のセルを選択すると（即ち、上記特定のセルにキャンプオンすると）、上記ＭＤＴ測定を開始する。
【０１１１】
例えば、上記特定のセルは、上記ＤＬのみのセルとともにキャリアアグリゲーションで使用不能なセルであり、より具体的には、例えば、基地局１００とは異なる他の基地局のセルである。さらに、例えば、上記特定のセルは、上記ＤＬのみのセルのカバレッジと重なるカバレッジを有するセルである。図２を再び参照すると、例えば、上記ＤＬのみのセルは、カバレッジ４１を有する基地局１００のスモールセルであり、上記特定のセルは、カバレッジ５１を有する隣接基地局５０のマクロセルである。
【０１１２】
例えば、上記特定のセルを示す上記セル情報は、上記特定のセル（例えばカバレッジ５１を有する隣接基地局５０のマクロセル）のセルＩＤである。
【０１１３】
なお、上記開始条件は、上記ＤＬのみのセルの測定値が閾値よりも良いことをさらに含んでもよく、上記開始条件情報は、上記閾値を示す閾値情報をさらに含んでもよい。この場合に、端末装置２００（測定部２３３）は、セル再選択において上記特定のセルを選択し、且つ、上記ＤＬのみのセルの測定値が上記閾値よりも良ければ（即ち、端末装置２００が上記ＤＬのみのセルのカバレッジ内にいれば）、上記ＭＤＴ測定を開始してもよい。
【０１１４】
−終了
例えば、上記終了条件は、上記ＤＬのみのセルの測定値が閾値よりも悪くなることを含み、上記終了条件情報は、上記閾値を示す閾値情報を含む。この場合に、端末装置２００（測定部２３３）は、上記測定値が上記閾値よりも悪くなると、上記ＭＤＴ測定を終了する。
【０１１５】
例えば、上記測定値は、上記ＤＬのみのセルについての受信電力又は受信品質（例えば、ＲＳＲＰ又はＲＳＲＱ）である。この場合に、例えば、アイドルモードの端末装置２００は、上記ＤＬのみのセルについての受信電力又は受信品質が上記閾値よりも悪くなると、上記ＭＤＴ測定を終了する。換言すると、アイドルモードの端末装置２００は、上記ＤＬのみのセルのカバレッジから出ると（又は当該カバレッジから離れると）、上記ＭＤＴ測定を終了する。
【０１１６】
なお、上記終了条件は、さらなるセル再選択において基地局１００のセル（例えば、カバレッジ１１を有するマクロセル）を選択することを含んでもよい。この場合に、端末装置２００（測定部２３３）は、さらなるセル再選択において基地局１００のセル（例えば、カバレッジ１１を有するマクロセル）を選択すると、上記ＭＤＴ測定を終了してもよい。
【０１１７】
−開始／終了の例
図７は、セル配置の第１のケースにおけるＬｏｇｇｅｄ  ＭＤＴ測定の開始及び終了の例を説明するための説明図である。図７を参照すると、図２と同様に、基地局１００、端末装置２００、基地局１００のリモートユニット４０、及び隣接基地局５０が示されている。カバレッジ４１は、ＤＬのみのセルのカバレッジであり、利用不能なカバレッジであるエリア４３を含む。この例では、端末装置２００は、ルート８１に沿って移動する。
【０１１８】
タイミングＴ１において、端末装置２００は、接続モードであり、基地局１００と通信可能である。基地局１００は、上記対象セル情報に加えて、上記開始条件情報及び上記終了条件情報を端末装置２００へ送信する。
【０１１９】
タイミングＴ２において、端末装置２００は、接続モードからアイドルモードへ遷移する。そして、端末装置２００は、基地局１００のセル（カバレッジ１１を有するマクロセル）にキャンプオンする。
【０１２０】
タイミングＴ３において、端末装置２００は、セル再選択を行う。端末装置２００は、当該セル再選択において、カバレッジ５１を有する隣接基地局５０のマクロセル（即ち、上記開始条件情報に含まれる上記セル情報により示される上記特定のセル）を選択する。即ち、端末装置２００は、隣接基地局５０の当該マクロセルにキャンプオンする。そのため、端末装置２００は、上記ＤＬのみのセル（カバレッジ４１を有するセル）についてのＭＤＴ測定を開始する。端末装置２００は、（当該ＭＤＴ測定が終了するまで）当該ＭＤＴ測定の結果を記録（log）する。
【０１２１】
タイミングＴ４において、上記ＤＬのみのセル（カバレッジ４１を有するセル）の測定値が閾値（即ち、上記終了条件情報に含まれる上記閾値情報により示される閾値）よりも悪くなる。そのため、端末装置２００は、上記ＭＤＴ測定を終了する。
【０１２２】
タイミングＴ５において、端末装置２００は、アイドルモードから接続モードへ遷移する。そして、端末装置２００は、記録していた上記ＭＤＴ測定の結果を隣接基地局５０に報告する。
【０１２３】
以上のような開始条件及び終了条件により、例えば、端末装置２００が、利用不能なカバレッジに入った場合に、上記ＭＤＴ測定を開始し、当該利用不能なカバレッジから出た場合に、上記ＭＤＴ測定を終了することが可能になる。
【０１２４】
（ａ−２）セル配置の第２のケース
次に、上述したセル配置の第２のケース（図３を参照）での開始条件情報及び終了条件情報の内容を説明する。上述したように、当該第２のケースでは、上記ＤＬのみのセルは、基地局１００とは異なる他の基地局のセル（例えば図３に示されるカバレッジ７１を有するスモールセル）である。
【０１２５】
−開始
例えば、上記開始条件は、上記ＤＬのみのセルの測定値が閾値よりも良くなることを含み、上記開始条件情報は、上記閾値を示す閾値情報を含む。この場合に、端末装置２００（測定部２３３）は、上記測定値が上記閾値よりも良くなると、上記ＭＤＴ測定を開始する。
【０１２６】
例えば、上記測定値は、上記ＤＬのみのセルについての受信電力又は受信品質（例えば、ＲＳＲＰ又はＲＳＲＱ）である。この場合に、例えば、アイドルモードの端末装置２００は、上記ＤＬのみのセルについての受信電力又は受信品質が上記閾値よりも良くなると、上記ＭＤＴ測定を開始する。換言すると、アイドルモードの端末装置２００は、上記ＤＬのみのセルのカバレッジに入ると（又は当該カバレッジに近づくと）、上記ＭＤＴ測定を開始する。
【０１２７】
−終了
例えば、上記終了条件は、セル再選択において特定のセルが選択されることを含み、上記終了条件情報は、上記特定のセルを示すセル情報を含む。この場合に、端末装置２００（測定部２３３）は、セル再選択において上記特定のセルを選択すると（即ち、上記特定のセルにキャンプオンすると）、上記ＭＤＴ測定を終了する。
【０１２８】
例えば、上記特定のセルは、上記ＤＬのみのセルとともにキャリアアグリゲーションで使用可能なセルであり、より具体的には、例えば、基地局１００とは異なる上記他の基地局のセルである。さらに、例えば、上記特定のセルは、上記ＤＬのみのセルのカバレッジと重なるカバレッジを有するセルである。図３を再び参照すると、例えば、上記ＤＬのみのセルは、カバレッジ７１を有する隣接基地局６０のスモールセルであり、上記特定のセルは、カバレッジ６１を有する隣接基地局６０のマクロセルである。
【０１２９】
例えば、上記特定のセルを示す上記セル情報は、上記特定のセル（例えばカバレッジ６１を有する隣接基地局６０のマクロセル）のセルＩＤである。
【０１３０】
なお、上記終了条件は、上記ＤＬのみのセルの測定値が閾値よりも悪くなることを含んでもよく、上記終了条件情報は、上記閾値を示す閾値情報をさらに含んでもよい。この場合に、端末装置２００（測定部２３３）は、セル再選択において上記特定のセルを選択しなくても、上記ＤＬのみのセルの測定値が上記閾値よりも悪くなれば（即ち、端末装置２００が上記ＤＬのみのセルのカバレッジから出れば（又は離れれば））、上記ＭＤＴ測定を終了してもよい。
【０１３１】
−開始／終了の例
図８は、セル配置の第２のケースにおけるＬｏｇｇｅｄ  ＭＤＴ測定の開始及び終了の例を説明するための説明図である。図８を参照すると、図３と同様に、基地局１００、端末装置２００、隣接基地局６０、及び隣接基地局６０のリモートユニット７０が示されている。カバレッジ７１は、ＤＬのみのセルのカバレッジであり、利用不能なカバレッジであるエリア７３を含む。この例では、端末装置２００は、ルート８３に沿って移動する。
【０１３２】
タイミングＴ１において、端末装置２００は、接続モードであり、基地局１００と通信可能である。基地局１００は、上記対象セル情報に加えて、上記開始条件情報及び上記終了条件情報を端末装置２００へ送信する。
【０１３３】
タイミングＴ２において、端末装置２００は、接続モードからアイドルモードへ遷移する。そして、端末装置２００は、基地局１００のセル（カバレッジ１１を有するマクロセル）にキャンプオンする。
【０１３４】
タイミングＴ３において、上記ＤＬのみのセル（カバレッジ７１を有するセル）の測定値が閾値（即ち、上記開始条件情報に含まれる上記閾値情報により示される閾値）よりも良くなる。そのため、端末装置２００は、上記ＭＤＴ測定を開始する。端末装置２００は、（当該ＭＤＴ測定が終了するまで）当該ＭＤＴ測定の結果を記録（log）する。
【０１３５】
タイミングＴ４において、端末装置２００は、セル再選択を行う。端末装置２００は、当該セル再選択において、カバレッジ６１を有する隣接基地局６０のマクロセル（即ち、上記終了条件情報に含まれる上記セル情報により示される上記特定のセル）を選択する。即ち、端末装置２００は、隣接基地局６０の当該マクロセルにキャンプオンする。そのため、端末装置２００は、上記ＤＬのみのセル（カバレッジ７１を有するセル）についてのＭＤＴ測定を終了する。
【０１３６】
タイミングＴ５において、端末装置２００は、アイドルモードから接続モードへ遷移する。そして、端末装置２００は、記録していた上記ＭＤＴ測定の結果を隣接基地局６０に報告する。
【０１３７】
以上のような開始条件及び終了条件により、例えば、端末装置２００が、利用不能なカバレッジに入った場合に、上記ＭＤＴ測定を開始し、当該利用不能なカバレッジから出た場合に、上記ＭＤＴ測定を終了することが可能になる。
【０１３８】
（ａ−３）その他
上述したセル配置のケースによらず、上記終了条件は、測定期間（measurement  time  period）が満了（expire）することを含んでもよく、上記終了条件情報は、上記測定期間を示す期間情報を含んでもよい。この場合に、端末装置２００（測定部２３３）は、上記測定期間が満了すると、上記ＭＤＴ測定を終了してもよい。上記期間情報は、上記測定期間を直接的に示す情報（例えば、上記測定期間に対応するインデックス又はタイマ値など）であってもよく、上記測定期間を間接的に示す情報（例えば、上記測定期間の終了時間／終了時刻）であってもよい。
【０１３９】
これにより、例えば、利用不能なカバレッジに端末装置２００がとどまる場合に、端末装置２００が上記ＭＤＴ測定を行い続けることが回避され得る。
【０１４０】
（ｂ）取得
例えば、基地局１００（情報取得部１４１）は、上記対象セル情報と同様に、上記開始条件情報及び上記終了条件情報を取得する。
【０１４１】
例えば、ネットワークノード３００（情報取得部３３１）は、上記開始条件情報及び上記終了条件情報を取得する。そして、ネットワークノード３００（通信処理部３３３）は、上記開始条件情報及び上記終了条件情報を基地局１００へ送信する。この場合に、基地局１００（情報取得部１４１）は、ネットワークノード３００により送信される上記開始条件情報及び上記終了条件情報を取得する。ネットワークノード３００は、上記開始条件情報及び上記終了条件情報を予め記憶していてもよく、又は、上記開始条件情報及び上記終了条件情報を自ら生成してもよい。
【０１４２】
具体的には、例えば、ネットワークノード３００は、上記開始条件情報及び上記終了条件情報を含むＭＤＴコンフィギュレーションを基地局１００へ送信する。そして、基地局１００（情報取得部１４１）は、上記開始条件情報及び上記終了条件情報を含む当該ＭＤＴコンフィギュレーションを取得する。
【０１４３】
これにより、例えば、コアネットワーク側でのＭＤＴ測定の開始／終了の制御が可能になる。
【０１４４】
あるいは、基地局１００が、上記開始条件情報及び上記終了条件情報を予め記憶していてもよく、又は、上記開始条件情報及び上記終了条件情報を自ら生成してもよい。そして、基地局１００（情報取得部１４１）は、当該開始条件情報及び当該終了条件情報を取得してもよい。
【０１４５】
（ｃ）送信
例えば、基地局１００（通信処理部１４３）は、上記対象セル情報と同様に、上記開始条件情報及び上記終了条件情報を端末装置２００へ送信する。
【０１４６】
例えば、上記開始条件情報及び上記終了条件情報は、アイドルモードでのＭＤＴ（例えば、Ｌｏｇｇｅｄ  ＭＤＴ）のためのコンフィギュレーションパラメータに含まれる。基地局１００（通信処理部１４３）は、当該コンフィギュレーションパラメータを含むメッセージを端末装置２００へ送信する。例えば、当該メッセージは、Ｌｏｇｇｅｄ  Ｍｅａｓｕｒｅｍｅｎｔ  Ｃｏｎｆｉｇｕｒａｔｉｏｎメッセージである。
【０１４７】
なお、基地局１００（通信処理部１４３）は、他のメッセージの中で上記開始条件情報及び上記終了条件情報を送信してもよい。あるいは、基地局１００（通信処理部１４３）は、端末装置２００への個別のメッセージではなく、システム情報（例えば、ＳＩＢ）の中で上記開始条件情報及び上記終了条件情報を送信してもよい。
【０１４８】
（ｄ）その他
上述したセル配置の第１のケース及び第２のケースは共存してもよい。この場合に、上記第１のケースについての第１の開始条件情報及び第１の終了条件情報（例えば、図２に示されるカバレッジ４１を有するスモールセルについての開始条件情報及び終了条件情報）と、上記第２のケースについての第２の開始条件情報及び第２の終了条件情報（例えば、図３に示されるカバレッジ７１を有するスモールセルについての開始条件情報及び終了条件情報）とが存在してもよい。基地局１００は、上記第１の開始条件情報及び上記第１の終了条件情報と、上記第２の開始条件情報及び上記第２の終了条件情報とを、端末装置２００へ送信してもよい。そして、端末装置２００は、上記第１の開始条件情報及び上記第１の終了条件情報に基づいて、上記ＭＤＴ測定（例えば、図２に示されるカバレッジ４１を有するスモールセルについてのＬｏｇｇｅｄ  ＭＤＴ測定）を開始し、終了してもよい。あるいは／さらに、端末装置２００は、上記第２の開始条件情報及び上記第２の終了条件情報に基づいて、上記ＭＤＴ測定（例えば、図３に示されるカバレッジ７１を有するスモールセルについてのＬｏｇｇｅｄ  ＭＤＴ測定）を開始し、終了してもよい。
【０１４９】
例えば以上のように、基地局１００は、上記開始条件情報及び上記終了条件情報を端末装置２００へ送信し、端末装置２００は、上記開始条件情報に基づいて上記ＭＤＴ測定を開始し、上記終了条件情報に基づいて上記ＭＤＴ測定を終了する。これにより、例えば、端末装置２００によるＭＤＴ測定の開始／終了のタイミングを制御することが可能になる。そのため、限られた期間内でのみＤＬのみのセルの測定が行われ得る。その結果、ＤＬのみのセルの最適なエリア設計のための情報がより効率的に収集され得る。
【０１５０】
なお、基地局１００は、上記終了条件情報を端末装置２００へ送信せず、上記開始条件情報を端末装置２００へ送信してもよく、端末装置２００は、上記開始条件情報に基づいて上記ＭＤＴ測定を開始してもよい。あるいは、基地局１００は、上記開始条件情報を端末装置２００へ送信せず、上記終了条件情報を端末装置２００へ送信してもよく、端末装置２００は、上記終了条件情報に基づいて上記ＭＤＴ測定を終了してもよい。
【０１５１】
（３）報告
（ａ）端末装置による報告
例えば、端末装置２００（測定部２３３）は、上記ＭＤＴ測定の結果を記録（log）する。そして、端末装置２００（報告部２３５）は、記録された当該ＭＤＴ測定の結果を基地局に報告する。
【０１５２】
より具体的には、例えば、端末装置２００（測定部２３３）は、アイドルモードである間に、上記ＭＤＴ測定を行い、当該ＭＤＴ測定の結果を記録する。そして、端末装置２００（報告部２３５）は、接続モードになった後に、記録された上記ＭＤＴ測定の結果を基地局に報告する。例えば、端末装置２００（報告部２３５）は、基地局により送信される特定のメッセージ（例えば、ＵＥ  Ｉｎｆｏｒｍａｔｉｏｎ  Ｒｅｑｕｅｓｔメッセージ）の受信に応じて、記録された上記ＭＤＴ測定の結果を含むメッセージ（例えば、ＵＥ  Ｉｎｆｏｒｍａｔｉｏｎ  Ｒｅｓｐｏｎｓｅメッセージ）を上記基地局へ送信する。
【０１５３】
例えば、図７を再び参照すると、端末装置２００（報告部２３５）は、記録された上記ＭＤＴ測定の結果を隣接基地局５０に報告する。
【０１５４】
例えば、図８を再び参照すると、端末装置２００（報告部２３５）は、記録された上記ＭＤＴ測定の結果を隣接基地局６０に報告する。
【０１５５】
（ｂ）基地局による報告
例えば、上記基地局（例えば、隣接基地局５０又は隣接基地局６０）は、端末装置２００による報告された上記ＭＤＴ測定の結果をネットワークノード３００（又は他のネットワークノード）に報告する。例えば、上記基地局は、Ｔｒａｃｅ  Ｒｅｃｏｒｄ  Ｒｅｐｏｒｔｉｎｇを行う。
【０１５６】
なお、例えば、端末装置（端末装置２００又は他の端末装置）がＭＤＴ測定の結果を基地局１００に報告する場合には、基地局１００（通信処理部１４３）は、上記ＭＤＴ測定の結果をネットワークノード３００（又は他のネットワークノード）へ送信する。
【０１５７】
（４）処理の流れ
図９〜図１１を参照して、第１の実施形態に係る処理の流れの例を説明する。
【０１５８】
（ａ）第１のケース
図９は、第１の実施形態に係る基地局及び端末装置の処理の概略的な流れの第１の例を示すシーケンス図である。当該第１の例は、（例えば図２に示されるような）セル配置の第１のケースにおける処理の流れの例である。この例では、端末装置２００は、例えば図７に示されるようにルート８１に沿って移動する。
【０１５９】
まず、端末装置２００は、基地局１００に接続されている（Ｓ４０１）。即ち、端末装置２００は、接続モードである。
【０１６０】
基地局１００は、Ｌｏｇｇｅｄ  Ｍｅａｓｕｒｅｍｅｎｔ  Ｃｏｎｆｉｇｕｒａｔｉｏｎメッセージを端末装置２００へ送信する（Ｓ４０３）。そして、端末装置２００は、当該Ｌｏｇｇｅｄ  Ｍｅａｓｕｒｅｍｅｎｔ  Ｃｏｎｆｉｇｕｒａｔｉｏｎメッセージを受信する。上記Ｌｏｇｇｅｄ  Ｍｅａｓｕｒｅｍｅｎｔ  Ｃｏｎｆｉｇｕｒａｔｉｏｎメッセージは、Ｌｏｇｇｅｄ  ＭＤＴのためのコンフィギュレーションパラメータを含む。とりわけ、当該コンフィギュレーションパラメータは、Ｌｏｇｇｅｄ  ＭＤＴ測定の対象セルを示す対象セル情報を含み、当該対象セルは、ＤＬのみのセル（例えば図２に示されるカバレッジ４１を有するスモールセル）を含む。例えば、当該対象セル情報は、当該ＤＬのみのセルのセルＩＤ、当該ＤＬのみのセルの周波数バンドを示すバンド情報、及び／又は、当該ＤＬのみのセルの周波数を示す周波数情報を含む。また、上記コンフィギュレーションパラメータは、上記Ｌｏｇｇｅｄ  ＭＤＴ測定の開始条件に関する開始条件情報、及び、上記Ｌｏｇｇｅｄ  ＭＤＴ測定の終了条件に関する終了条件情報を含む。当該開始条件情報は、特定のセル（例えば図２に示されるカバレッジ５１を有する隣接基地局５０のマクロセル）のセルＩＤを含み、上記終了条件情報は、測定値と比較される閾値を示す閾値情報を含む。上記終了条件情報は、測定期間を示す期間情報を含んでもよい。
【０１６１】
いずれかの時点で、端末装置２００は、接続モードからアイドルモードへ遷移する（Ｓ４０５）。そして、端末装置２００は、基地局１００のセル（カバレッジ１１を有するマクロセル）にキャンプオンする。
【０１６２】
さらに、端末装置２００は、セル再選択を行う（Ｓ４０７）。例えば、端末装置２００は、当該セル再選択において、（例えば図２に示されるカバレッジ５１を有する）隣接基地局５０のマクロセルを選択する。即ち、端末装置２００は、当該マクロセルにキャンプオンする。ここで、上記マクロセルのセルＩＤが、上記開始条件情報に含まれる上記セルＩＤに合致する（即ち、上記マクロセルが上記特定のセルである）。そのため、端末装置２００は、上記対象セル情報に含まれる上記セルＩＤを有する上記ＤＬのみのセル（例えば図２に示されるカバレッジ４１を有するスモールセル）についてのＬｏｇｇｅｄ  ＭＤＴ測定を開始する（Ｓ４０９）。端末装置２００は、当該Ｌｏｇｇｅｄ  ＭＤＴ測定の結果を記録する。
【０１６３】
その後、上記ＤＬのみのセルの測定値が、上記終了条件情報に含まれる上記閾値情報により示される上記閾値よりも悪くなる。そのため、端末装置２００は、Ｌｏｇｇｅｄ  ＭＤＴ測定を終了する（Ｓ４１１）。
【０１６４】
いずれかの時点で、端末装置２００は、接続手続き（Ｓ４１３）を通じて、隣接基地局５０に接続され（Ｓ４１５）、アイドルモードから接続モードへ遷移する。
【０１６５】
隣接基地局５０は、ＵＥ  Ｉｎｆｏｒｍａｔｉｏｎ  Ｒｅｑｕｅｓｔメッセージを端末装置２００へ送信する（Ｓ４１７）。
【０１６６】
端末装置２００は、上記ＵＥ  Ｉｎｆｏｒｍａｔｉｏｎ  Ｒｅｑｕｅｓｔメッセージの受信に応じて、記録された上記Ｌｏｇｇｅｄ  ＭＤＴ測定の上記結果を含むＵＥ  Ｉｎｆｏｒｍａｔｉｏｎ  Ｒｅｓｐｏｎｓｅメッセージを隣接基地局５０へ送信する（Ｓ４１９）。
【０１６７】
（ｂ）第２のケース
図１０は、第１の実施形態に係る基地局及び端末装置の処理の概略的な流れの第２の例を示すシーケンス図である。当該第２の例は、（例えば図３に示されるような）セル配置の第２のケースにおける処理の流れの例である。この例では、端末装置２００は、例えば図８に示されるようにルート８３に沿って移動する。
【０１６８】
まず、端末装置２００は、基地局１００に接続されている（Ｓ４４１）。即ち、端末装置２００は、接続モードである。
【０１６９】
基地局１００は、Ｌｏｇｇｅｄ  Ｍｅａｓｕｒｅｍｅｎｔ  Ｃｏｎｆｉｇｕｒａｔｉｏｎメッセージを端末装置２００へ送信する（Ｓ４４３）。そして、端末装置２００は、当該Ｌｏｇｇｅｄ  Ｍｅａｓｕｒｅｍｅｎｔ  Ｃｏｎｆｉｇｕｒａｔｉｏｎメッセージを受信する。上記Ｌｏｇｇｅｄ  Ｍｅａｓｕｒｅｍｅｎｔ  Ｃｏｎｆｉｇｕｒａｔｉｏｎメッセージは、Ｌｏｇｇｅｄ  ＭＤＴのためのコンフィギュレーションパラメータを含む。とりわけ、当該コンフィギュレーションパラメータは、Ｌｏｇｇｅｄ  ＭＤＴ測定の対象セルを示す対象セル情報を含み、当該対象セルは、ＤＬのみのセル（例えば図３に示されるカバレッジ７１を有するスモールセル）を含む。例えば、当該対象セル情報は、当該ＤＬのみのセルのセルＩＤ、当該ＤＬのみのセルの周波数バンドを示すバンド情報、及び／又は、当該ＤＬのみのセルの周波数を示す周波数情報を含む。また、上記コンフィギュレーションパラメータは、上記Ｌｏｇｇｅｄ  ＭＤＴ測定の開始条件に関する開始条件情報、及び、上記Ｌｏｇｇｅｄ  ＭＤＴ測定の終了条件に関する終了条件情報を含む。当該開始条件情報は、測定値と比較される閾値を示す閾値情報を含み、上記終了条件情報は、特定のセル（例えば図３に示されるカバレッジ６１を有する隣接基地局６０のマクロセル）のセルＩＤを含む。上記終了条件情報は、測定期間を示す期間情報を含んでもよい。
【０１７０】
いずれかの時点で、端末装置２００は、接続モードからアイドルモードへ遷移する（Ｓ４４５）。そして、端末装置２００は、基地局１００のセル（カバレッジ１１を有するマクロセル）にキャンプオンする。
【０１７１】
さらに、上記ＤＬのみのセル（例えば図３に示されるカバレッジ７１を有するスモールセル）の測定値が、上記開始条件情報に含まれる上記閾値情報により示される上記閾値よりも良くなる。そのため、端末装置２００は、上記対象セル情報に含まれる上記セルＩＤを有する上記ＤＬのみのセル（例えば図３に示されるカバレッジ７１を有するスモールセル）についてのＬｏｇｇｅｄ  ＭＤＴ測定を開始する（Ｓ４４７）。端末装置２００は、当該Ｌｏｇｇｅｄ  ＭＤＴ測定の結果を記録する。
【０１７２】
その後、端末装置２００は、セル再選択を行う（Ｓ４４９）。例えば、端末装置２００は、当該セル再選択において、（例えば図３に示されるカバレッジ６１を有する）隣接基地局６０のマクロセルを選択する。即ち、端末装置２００は、当該マクロセルにキャンプオンする。ここで、上記マクロセルのセルＩＤが、上記終了条件情報に含まれる上記セルＩＤに合致する（即ち、上記マクロセルが上記特定のセルである）。そのため、端末装置２００は、上記Ｌｏｇｇｅｄ  ＭＤＴ測定を終了する（Ｓ４５１）
【０１７３】
いずれかの時点で、端末装置２００は、接続手続き（Ｓ４５３）を通じて、隣接基地局６０に接続され（Ｓ４５５）、アイドルモードから接続モードへ遷移する。
【０１７４】
隣接基地局６０は、ＵＥ  Ｉｎｆｏｒｍａｔｉｏｎ  Ｒｅｑｕｅｓｔメッセージを端末装置２００へ送信する（Ｓ４５７）。
【０１７５】
端末装置２００は、上記ＵＥ  Ｉｎｆｏｒｍａｔｉｏｎ  Ｒｅｑｕｅｓｔメッセージの受信に応じて、記録された上記Ｌｏｇｇｅｄ  ＭＤＴ測定の上記結果を含むＵＥ  Ｉｎｆｏｒｍａｔｉｏｎ  Ｒｅｓｐｏｎｓｅメッセージを隣接基地局５０へ送信する（Ｓ４５９）。
【０１７６】
（ｃ）その他
図１１は、第１の実施形態に係る基地局及びネットワークノードの処理の概略的な流れの一例を示すシーケンス図である。
【０１７７】
ネットワークノード３００は、ＭＤＴコンフィギュレーションを基地局１００へ送信する（Ｓ４８１）。例えば、当該ＭＤＴコンフィギュレーションは、図９及び図１０を参照して説明したコンフィギュレーションパラメータを含み、当該コンフィギュレーションパラメータは、上記対象セル情報、上記開始条件情報及び上記終了条件情報を含む。
【０１７８】
その後、基地局１００、端末装置２００、及び隣接基地局５０又は６０は、図９又は図１０を参照して説明したような処理を行う。
【０１７９】
そして、隣接基地局５０又は６０は、端末装置２００により報告されたＬｏｇｇｅｄ  ＭＤＴ測定の結果をネットワークノード３００に報告する（Ｓ４８３）。
【０１８０】
なお、隣接基地局５０又は６０は、上記Ｌｏｇｇｅｄ  ＭＤＴ測定の結果を、ネットワークノード３００とは異なるネットワークノードに報告してもよい。
【０１８１】
（５）隣接基地局の動作
第１の実施形態では、基地局１００の隣接基地局も、基地局１００と同様の処理を行ってもよい。
【０１８２】
例えば、基地局１００は、図３に示されるカバレッジ７１を有するスモールセルについての対象セル情報、開始条件情報及び／又は終了条件情報を端末装置へ送信する。これと同様に、図２に示される隣接基地局５０が、図２に示されるカバレッジ４１を有するスモールセルについての対象セル情報、開始条件情報及び／又は終了条件情報を端末装置へ送信してもよい。
【０１８３】
例えば、基地局１００は、図２に示されるカバレッジ４１を有するスモールセルについての対象セル情報、開始条件情報及び／又は終了条件情報を端末装置へ送信する。これと同様に、図３に示される隣接基地局６０が、図３に示されるカバレッジ７１を有するスモールセルについての対象セル情報、開始条件情報及び／又は終了条件情報を端末装置へ送信してもよい。
【０１８４】
＜＜５．第２の実施形態＞＞
続いて、図１２〜図１４を参照して、本発明の第２の実施形態を説明する。
【０１８５】
＜５．１．基地局の構成例＞
まず、図１２を参照して、第２の実施形態に係る基地局１００の構成の例を説明する。図１２は、第２の実施形態に係る基地局１００の概略的な構成の例を示すブロック図ある。図１２を参照すると、基地局１００は、情報取得部１５１及び通信処理部１５３を含む。
【０１８６】
情報取得部１５１及び通信処理部１５３の具体的な動作は後に説明する。
【０１８７】
情報取得部１５１及び通信処理部１５３は、ベースバンド（ＢＢ）プロセッサ及び／又は他のプロセッサなどで実装されてもよい。
【０１８８】
＜５．２．端末装置の構成例＞
次に、図１３を参照して、第２の実施形態に係る端末装置２００の構成の例を説明する。図１３は、第２の実施形態に係る端末装置２００の概略的な構成の例を示すブロック図ある。図１３を参照すると、端末装置２００は、情報取得部２４１及び測定部２４３を含む。
【０１８９】
情報取得部２４１及び測定部２４３の具体的な動作は後に説明する。
【０１９０】
情報取得部２４１及び測定部２４３は、ベースバンド（ＢＢ）プロセッサ及び／又は他のプロセッサなどで実装されてもよい。
【０１９１】
＜５．３．技術的特徴＞
次に、図１４を参照して、第２の実施形態に係る技術的特徴を説明する。
【０１９２】
（１）対象セル情報
基地局１００（情報取得部１５１）は、端末装置２００のアイドルモードでのＭＤＴ測定の対象セルを示す対象セル情報を取得する。そして、基地局１００（通信処理部１５３）は、上記対象セル情報を端末装置２００へ送信する。上記対象セルは、ＤＬのみのセルを含む。
【０１９３】
端末装置２００（情報取得部２４１）は、上記対象セル情報を取得する。そして、端末装置２００（測定部２４３）は、上記対象セル情報に基づいて、上記ＭＤＴ測定を行う。
【０１９４】
これらの点についての説明は、例えば、符号の相違（即ち、情報取得部１５１と情報取得部１４１との相違、通信処理部１５３と通信処理部１４３との相違、情報取得部２４１と情報取得部２３１との相違、及び、測定部２４３と測定部２３３との相違）を除き、第１の実施形態における説明と同じである。よって、ここでは重複する説明を省略する。
【０１９５】
（２）処理の流れ
図１４を参照して、第２の実施形態に係る処理の流れの例を説明する。図１４は、第２の実施形態に係る基地局１００及び端末装置２００の処理の概略的な流れの一例を示すシーケンス図である。
【０１９６】
基地局１００は、端末装置２００のアイドルモードでのＭＤＴ測定の対象セルを示す対象セル情報を取得し、当該対象セル情報を端末装置２００へ送信する（Ｓ５０１）。当該対象セルは、ＤＬのみのセルを含む。
【０１９７】
端末装置２００は、上記対象セル情報を取得し、上記対象セル情報に基づいて上記ＭＤＴ測定を行う（Ｓ５０３）。
【０１９８】
以上、本発明の実施形態を説明した。本発明は上述した実施形態に限定されるものではなく、本発明の要旨の範囲内において種々に変形して実施をすることが可能である。上述した実施形態は例示であり、実施形態の組合せやそれらの各構成要素や各処理プロセスの組合せに様々な変形例が可能なこと、またそうした変形例も本発明の範囲にあることは、当業者に理解されるところである。
【０１９９】
例えば、ＤＬのみのセルがスモールセルである例を主として説明したが、本発明は係る例に限定されない。例えば、ＤＬのみのセルはマクロセルであってもよい。
【０２００】
また、例えば、「測定値が閾値よりも良い」という表現は、「測定値が閾値よりも大きい」と読み替えられてもよく、「測定値が閾値よりも悪い」という表現は、「測定値が閾値よりも小さい」と読み替えられてもよい。
【０２０１】
また、例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。
【０２０２】
また、本明細書において説明した基地局の構成要素（例えば、情報取得部及び／又は通信処理部）を備える基地局装置（例えば、ＢＢＵ（Base  Band  Unit）を含む装置、若しくはＢＢＵ）又はそのモジュール（例えば、ＢＢＵ、若しくはＢＢＵのモジュール）が提供されてもよい。また、本明細書において説明した端末装置の構成要素（例えば、情報取得部、測定部、及び／又は報告部）を備えるモジュールが提供されてもよい。また、本明細書において説明したネットワークノードの構成要素（例えば、情報取得部、及び／又は通信処理部）を備えるモジュールが提供されてもよい。また、このような構成要素の処理を含む方法が提供されてもよく、このような構成要素の処理をプロセッサに実行させるためのプログラムが提供されてもよい。また、当該プログラムを記録した記録媒体が提供されてもよい。当然ながら、このような基地局装置、モジュール、方法、プログラム及び記録媒体も本発明に含まれる。
【０２０３】
上記実施形態の一部又は全部は、以下の付記のようにも記載され得るが、以下には限られない。
【０２０４】
（付記１）
端末装置のアイドルモードでのＭＤＴ（Minimization  of  Drive  Tests）測定の対象セルを示す対象セル情報を取得する情報取得部と、
前記対象セル情報を前記端末装置へ送信する通信処理部と、
を備え、
前記対象セルは、ダウンリンクのみのセルを含む、
装置。
【０２０５】
（付記２）
前記対象セル情報は、前記アイドルモードでのＭＤＴのためのコンフィギュレーションパラメータに含まれ、
前記通信処理部は、前記コンフィギュレーションパラメータを含むメッセージを前記端末装置へ送信する、
付記１に記載の装置。
【０２０６】
（付記３）
前記メッセージは、Ｌｏｇｇｅｄ  Ｍｅａｓｕｒｅｍｅｎｔ  Ｃｏｎｆｉｇｕｒａｔｉｏｎメッセージである、付記２に記載の装置。
【０２０７】
（付記４）
前記情報取得部は、前記ＭＤＴ測定の開始条件に関する開始条件情報を取得し、
前記通信処理部は、前記開始条件情報を前記端末装置へ送信する、
付記１〜３のいずれか１項に記載の装置。
【０２０８】
（付記５）
前記開始条件は、セル再選択（cell  reselection）において特定のセルが選択されることを含み、
前記開始条件情報は、前記特定のセルを示すセル情報を含む、
付記４に記載の装置。
【０２０９】
（付記６）
前記開始条件は、前記ダウンリンクのみのセルの測定値が閾値よりも良くなることを含み、
前記開始条件情報は、前記閾値を示す閾値情報を含む、
付記４に記載の装置。
【０２１０】
（付記７）
前記情報取得部は、前記ＭＤＴ測定の終了条件に関する終了条件情報を取得し、
前記通信処理部は、前記終了条件情報を前記端末装置へ送信する、
付記１〜６のいずれか１項に記載の装置。
【０２１１】
（付記８）
前記終了条件は、前記ダウンリンクのみのセルの測定値が閾値よりも悪くなることを含み、
前記終了条件情報は、前記閾値を示す閾値情報を含む、
付記７に記載の装置。
【０２１２】
（付記９）
前記終了条件は、セル再選択において特定のセルが選択されることを含み、
前記終了条件情報は、前記特定のセルを示すセル情報を含む、
付記７に記載の装置。
【０２１３】
（付記１０）
前記終了条件は、測定期間が満了することを含み、
前記終了条件情報は、前記測定期間を示す期間情報を含む、
付記７〜９のいずれか１項に記載の装置。
【０２１４】
（付記１１）
前記装置は、基地局、当該基地局のための基地局装置、又は当該基地局装置のためのモジュールであり、
前記ダウンリンクのみのセルは、前記基地局のセルである、
付記５又は８に記載の装置。
【０２１５】
（付記１２）
前記装置は、基地局、当該基地局のための基地局装置、又は当該基地局装置のためのモジュールであり、
前記ダウンリンクのみのセルは、前記基地局とは異なる他の基地局のセルである、
付記６又は９に記載の装置。
【０２１６】
（付記１３）
端末装置のアイドルモードでのＭＤＴ測定の対象セルを示す対象セル情報であって、基地局により送信される当該対象セル情報を取得する情報取得部と、
前記対象セル情報に基づいて前記ＭＤＴ測定を行う測定部と、
を備え、
前記対象セルは、ダウンリンクのみのセルを含む、
装置。
【０２１７】
（付記１４）
前記情報取得部は、前記ＭＤＴ測定の開始条件に関する開始条件情報であって、前記基地局により送信される当該開始条件情報を取得し、
前記測定部は、前記開始条件情報に基づいて、前記ＭＤＴ測定を開始する、
付記１３に記載の装置。
【０２１８】
（付記１５）
前記情報取得部は、前記ＭＤＴ測定の終了条件に関する終了条件情報であって、前記基地局により送信される当該終了条件情報を取得し、
前記測定部は、前記終了条件情報に基づいて、前記ＭＤＴ測定を終了する、
付記１３又は１４に記載の装置。
【０２１９】
（付記１６）
端末装置のアイドルモードでのＭＤＴ測定の対象セルを示す対象セル情報を取得する情報取得部と、
前記対象セル情報を基地局へ送信する通信処理部と、
を備え、
前記対象セルは、ダウンリンクのみのセルを含む、
装置。
【０２２０】
（付記１７）
前記ＭＤＴ測定は、Ｌｏｇｇｅｄ  ＭＤＴ測定である、付記１〜１６のいずれか１項に記載の装置。
【０２２１】
（付記１８）
前記対象セル情報は、前記ダウンリンクのみのセルのセルＩＤ、前記ダウンリンクのみのセルの周波数バンドを示すバンド情報、又は、前記ダウンリンクのみのセルの周波数を示す周波数情報を含む、付記１〜１７のいずれか１項に記載の装置。
【０２２２】
（付記１９）
前記ダウンリンクのみのセルは、ダウンリンク専用帯域のセルである、付記１〜１８のいずれか１項に記載の装置。
【０２２３】
（付記２０）
前記ダウンリンク専用帯域は、Ｂａｎｄ  ２９又はＢａｎｄ３２である、付記１９に記載の装置。
【０２２４】
（付記２１）
端末装置のアイドルモードでのＭＤＴ測定の対象セルを示す対象セル情報を取得することと、
前記対象セル情報を前記端末装置へ送信することと、
を含み、
前記対象セルは、ダウンリンクのみのセルを含む、
方法。
【０２２５】
（付記２２）
端末装置のアイドルモードでのＭＤＴ測定の対象セルを示す対象セル情報であって、基地局により送信される当該対象セル情報を取得することと、
前記対象セル情報に基づいて前記ＭＤＴ測定を行うことと、
を含み、
前記対象セルは、ダウンリンクのみのセルを含む、
方法。
【０２２６】
（付記２３）
端末装置のアイドルモードでのＭＤＴ測定の対象セルを示す対象セル情報を取得することと、
前記対象セル情報を基地局へ送信することと、
を含み、
前記対象セルは、ダウンリンクのみのセルを含む、
方法。
【０２２７】
（付記２４）
端末装置のアイドルモードでのＭＤＴ測定の対象セルを示す対象セル情報を前記端末装置へ送信する基地局と、
前記対象セル情報に基づいて前記ＭＤＴ測定を行う前記端末装置と、
を含み、
前記対象セルは、ダウンリンクのみのセルを含む、
システム。
【０２２８】
（付記２５）
基地局において、端末装置のアイドルモードでのＭＤＴ測定の対象セルを示す対象セル情報を前記端末装置へ送信することと、
前記端末装置において、前記対象セル情報に基づいて前記ＭＤＴ測定を行うことと、
を含み、
前記対象セルは、ダウンリンクのみのセルを含む、
方法。
【０２２９】
（付記２６）
端末装置のアイドルモードでのＭＤＴ測定の対象セルを示す対象セル情報を取得することと、
前記対象セル情報を前記端末装置へ送信することと、
をプロセッサに実行させるためのプログラムであり、
前記対象セルは、ダウンリンクのみのセルを含む、
プログラム。
【０２３０】
（付記２７）
端末装置のアイドルモードでのＭＤＴ測定の対象セルを示す対象セル情報を取得することと、
前記対象セル情報を前記端末装置へ送信することと、
をプロセッサに実行させるためのプログラムを記録した読み取り可能な記録媒体であり、
前記対象セルは、ダウンリンクのみのセルを含む、
記録媒体。
【０２３１】
（付記２８）
端末装置のアイドルモードでのＭＤＴ測定の対象セルを示す対象セル情報であって、基地局により送信される当該対象セル情報を取得することと、
前記対象セル情報に基づいて前記ＭＤＴ測定を行うことと、
をプロセッサに実行させるためのプログラムであり、
前記対象セルは、ダウンリンクのみのセルを含む、
プログラム。
【０２３２】
（付記２９）
端末装置のアイドルモードでのＭＤＴ測定の対象セルを示す対象セル情報であって、基地局により送信される当該対象セル情報を取得することと、
前記対象セル情報に基づいて前記ＭＤＴ測定を行うことと、
をプロセッサに実行させるためのプログラムを記録した読み取り可能な記録媒体であり、
前記対象セルは、ダウンリンクのみのセルを含む、
記録媒体。
【０２３３】
（付記３０）
端末装置のアイドルモードでのＭＤＴ測定の対象セルを示す対象セル情報を取得することと、
前記対象セル情報を基地局へ送信することと、
をプロセッサに実行させるためのプログラムであり、
前記対象セルは、ダウンリンクのみのセルを含む、
プログラム。
【０２３４】
（付記３１）
端末装置のアイドルモードでのＭＤＴ測定の対象セルを示す対象セル情報を取得することと、
前記対象セル情報を基地局へ送信することと、
をプロセッサに実行させるためのプログラムを記録した読み取り可能な記録媒体であり、
前記対象セルは、ダウンリンクのみのセルを含む、
記録媒体。
【０２３５】
（付記３２）
前記装置は、基地局、基地局のための基地局装置、又は当該基地局装置のためのモジュールである、付記１〜１２のいずれか１項に記載の装置。
【０２３６】
（付記３３）
前記装置は、前記端末装置、又は前記端末装置のためのモジュールである、付記１３〜１５のいずれか１項に記載の装置。
【０２３７】
（付記３４）
前記装置は、コアネットワークノード、又はコアネットワークノードのためのモジュールである、付記１６に記載の装置。
【０２３８】
この出願は、２０１５年９月１１日に出願された日本出願特願２０１５−１７９９０４を基礎とする優先権を主張し、その開示の全てをここに取り込む。
【符号の説明】
【０２３９】
１              システム
３０            ネットワーク
１１、４１、５１、６１、７１  （セルの）カバレッジ
４０、７０      リモートユニット
４３、７３      エリア（利用不能なカバレッジ／無駄なカバレッジ）
１００          基地局
１４１、１５１  情報取得部
１４３、１５３  通信処理部
２００          端末装置
２３１、２４１  情報取得部
２３３、２４３  測定部
２３５          報告部
３００          ネットワークノード
３３１          情報取得部
３３３          通信処理部
【図１】
2017043296.tif 000003
【図２】
2017043296.tif 000004
【図３】
2017043296.tif 000005
【図４】
2017043296.tif 000006
【図５】
2017043296.tif 000007
【図６】
2017043296.tif 000008
【図７】
2017043296.tif 000009
【図８】
2017043296.tif 000010
【図９】
2017043296.tif 000011
【図１０】
2017043296.tif 000012
【図１１】
2017043296.tif 000013
【図１２】
2017043296.tif 000014
【図１３】
2017043296.tif 000015
【図１４】
2017043296.tif 000016
【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
端末装置のアイドルモードでのＭＤＴ（Minimization  of  Drive  Tests）測定の対象セルを示す対象セル情報を取得する情報取得部と、
前記対象セル情報を前記端末装置へ送信する通信処理部と、
を備え、
前記対象セルは、ダウンリンクのみのセルを含む、
装置。
【請求項２】
前記対象セル情報は、前記アイドルモードでのＭＤＴのためのコンフィギュレーションパラメータに含まれ、
前記通信処理部は、前記コンフィギュレーションパラメータを含むメッセージを前記端末装置へ送信する、
請求項１に記載の装置。
【請求項３】
前記メッセージは、Ｌｏｇｇｅｄ  Ｍｅａｓｕｒｅｍｅｎｔ  Ｃｏｎｆｉｇｕｒａｔｉｏｎメッセージである、請求項２に記載の装置。
【請求項４】
前記情報取得部は、前記ＭＤＴ測定の開始条件に関する開始条件情報を取得し、
前記通信処理部は、前記開始条件情報を前記端末装置へ送信する、
請求項１〜３のいずれか１項に記載の装置。
【請求項５】
前記情報取得部は、前記ＭＤＴ測定の終了条件に関する終了条件情報を取得し、
前記通信処理部は、前記終了条件情報を前記端末装置へ送信する、
請求項１〜４のいずれか１項に記載の装置。
【請求項６】
端末装置のアイドルモードでのＭＤＴ測定の対象セルを示す対象セル情報であって、基地局により送信される当該対象セル情報を取得する情報取得部と、
前記対象セル情報に基づいて前記ＭＤＴ測定を行う測定部と、
を備え、
前記対象セルは、ダウンリンクのみのセルを含む、
装置。
【請求項７】
端末装置のアイドルモードでのＭＤＴ測定の対象セルを示す対象セル情報を取得する情報取得部と、
前記対象セル情報を基地局へ送信する通信処理部と、
を備え、
前記対象セルは、ダウンリンクのみのセルを含む、
装置。
【請求項８】
前記ＭＤＴ測定は、Ｌｏｇｇｅｄ  ＭＤＴ測定である、請求項１〜７のいずれか１項に記載の装置。
【請求項９】
端末装置のアイドルモードでのＭＤＴ測定の対象セルを示す対象セル情報を取得することと、
前記対象セル情報を前記端末装置へ送信することと、
を含み、
前記対象セルは、ダウンリンクのみのセルを含む、
方法。
【請求項１０】
端末装置のアイドルモードでのＭＤＴ測定の対象セルを示す対象セル情報を取得することと、
前記対象セル情報を前記端末装置へ送信することと、
をプロセッサに実行させるためのプログラムであり、
前記対象セルは、ダウンリンクのみのセルを含む、
プログラム。
【国際調査報告】
2017043296.tif 000017
2017043296.tif 000018
2017043296.tif 000019
2017043296.tif 000020